(57)【要約】【課題】通信ネットワークの負荷を増大させることなく、複数の携帯電話機の付加価値的機能を制御できる機能制御方法及びそのシステム並びに携帯電話機を提供する。【解決手段】複数の携帯電話機６０に対して、携帯電話機６０の付加価値的機能を制御するための機能制御情報を提供対象の情報として含む情報送信信号を繰り返し送信し、各情報通信端末６０において、機能制御情報を含む情報送信信号を受信し、情報送信信号に含まれる機能制御情報を取得し、機能制御情報に基づいて携帯電話機６０の付加価値的機能を制御する。【選択図】　図１
2004147192.tif 000002
【特許請求の範囲】
【請求項１】
複数の地域ごとに繰り返し送信されている情報送信信号を所定のタイミングで受信して該情報送信信号に含まれる提供対象の情報を取得する情報取得機能とその他の付加価値的機能とを有する情報通信端末における該付加価値的機能を制御する情報通信端末の機能制御方法であって、
複数の情報通信端末に対して、該情報通信端末の付加価値的機能を制御するための機能制御情報を該提供対象の情報として含む情報送信信号を繰り返し送信し、
各情報通信端末において、該機能制御情報を含む情報送信信号を受信し、該情報送信信号に含まれる該機能制御情報を取得し、該機能制御情報に基づいて該情報通信端末の付加価値的機能を制御することを特徴とする情報通信端末の機能制御方法。
【請求項２】
請求項１の情報通信端末の機能制御方法において、
上記情報通信端末が、端末呼出信号を受信する端末呼出信号受信機能を有するものであり、
上記機能制御情報を含む情報送信信号が送信されている旨を示す情報送信識別データを該端末呼出信号に付加し、該端末呼出信号を複数の情報通信端末に対して一斉に送信し、
各情報通信端末において該端末呼出信号を受信したときに、該端末呼出信号に付加された該情報送信識別データに基づいて、該機能制御情報を含む情報送信信号を受信することを特徴とする情報通信端末の機能制御方法。
【請求項３】
請求項１又は２の情報通信端末の機能制御方法において、
上記付加価値的機能が、暗号鍵を用いた暗号化アルゴリズムによりデータを暗号化する機能であり、
上記付加価値的機能の制御が、該暗号鍵及び該暗号化アルゴリズムの少なくとも一方を入れ替える制御であることを特徴とする情報通信端末の機能制御方法。
【請求項４】
請求項３の情報通信端末の機能制御方法において、
上記情報通信端末に、上記暗号鍵及び上記暗号化アルゴリズムの少なくとも一方を予め複数組み込んでおくことを特徴とする情報通信端末の機能制御方法。
【請求項５】
複数の地域ごとに提供対象の情報を含む情報送信信号を繰り返し送信する情報提供手段を備え、該情報送信信号を所定のタイミングで受信して該情報送信信号に含まれる提供対象の情報を取得する情報取得機能とその他の付加価値的機能とを有する情報通信端末における該付加価値的機能を制御する情報通信端末の機能制御システムであって、
該情報通信端末の付加価値的機能を制御するための機能制御情報を該提供対象の情報として含む情報送信信号を繰り返し送信するように、該情報提供手段を構成したことを特徴とする情報通信端末の機能制御システム。
【請求項６】
請求項５の情報通信端末の機能制御システムにおいて、
複数の情報通信端末に端末呼出信号を送信する端末呼出制御手段を備え、
上記機能制御情報を含む上記情報送信信号が送信されている旨を示す情報送信識別データを該端末呼出信号に付加し、該端末呼出信号を複数の情報通信端末に対して一斉に送信するように、該端末呼出制御手段を構成したことを特徴とする情報通信端末の機能制御システム。
【請求項７】
請求項５又は６の情報通信端末の機能制御システムにおいて、
上記付加価値的機能が、暗号鍵を用いた暗号化アルゴリズムによりデータを暗号化する機能であり、
上記付加価値的機能の制御が、該暗号鍵及び該暗号化アルゴリズムの少なくとも一方を入れ替える制御であることを特徴をする情報通信端末の機能制御システム。
【請求項８】
複数の地域ごとに繰り返し送信されている提供対象の情報を含む情報送信信号を所定のタイミングで受信して該提供対象の情報を取得する情報取得機能とその他の付加価値的機能とを有する情報通信端末であって、
繰り返し送信されている上記付加価値的機能を制御するための機能制御情報を含む情報送信信号を受信し、該情報送信信号に含まれる該機能制御情報を取得し、該機能制御情報に基づいて該付加価値的機能を制御する制御手段を備えたことを特徴をする情報通信端末。
【請求項９】
請求項８の情報通信端末において、
端末呼出信号を受信する端末呼出信号受信機能を有し、
上記機能制御情報を含む情報送信信号が送信されている旨を示す情報送信識別データが付加された端末呼出信号を受信したときに、該端末呼出信号に付加された該情報送信識別データに基づいて、該機能制御情報を含む情報送信信号を受信するように、上記制御手段を構成したことを特徴とする情報通信端末。
【請求項１０】
請求項８又は９の情報通信端末において、
上記付加価値的機能が、暗号鍵を用いた暗号化アルゴリズムによりデータを暗号化する機能であり、
上記付加価値的機能の制御が、該暗号鍵及び該暗号化アルゴリズムの少なくとも一方を入れ替える制御であることを特徴とする情報通信端末。
【請求項１１】
請求項１０の情報通信端末において、
上記暗号鍵及び上記暗号化アルゴリズムの少なくとも一方が予め複数組み込まれていることを特徴とする情報通信端末。
【発明の詳細な説明】
【０００１】
【発明の属する技術分野】
本発明は、携帯電話機等の情報通信端末におけるデータ暗号化機能等の付加価値的機能を制御する機能制御方法及びそのシステム並びに情報通信端末に関するものである。
【０００２】
【従来の技術】
従来、携帯電話機等の情報通信端末として、暗号鍵を用いた暗号化アルゴリズムによりデータを暗号化するデータ暗号化機能を有するものが知られている。このデータの暗号化は、例えばインターネット上の情報提供サイト等からダウンロードした画像、音楽、プログラム等のコンテンツデータを情報通信端末に着脱可能なメモリーカードに保存するときに実行される（例えば、特許文献１参照）。上記情報提供サイト等からダウンロードされるコンテンツデータの多くは著作権で保護されたものが多い。そのため、これらのコンテンツデータを暗号化してメモリーカードに保存することにより、コンテンツデータが無断で複製されたり第三者へ譲渡されたりして外部のパソコン等で使用されるのを防止するものである。
【０００３】
【特許文献１】
特開２００２−１７１２５１号公報
【０００４】
【発明が解決しようとする課題】
ところが、上記携帯電話機等の情報通信端末におけるデータ暗号化で用いる暗号鍵や暗号化アルゴリズムが解読されるおそれがあるという問題があった。このように暗号鍵や暗号化アルゴリズムが解読されてしまうと、データを暗号化してメモリーカードに保存したとしても、メモリーカード内のコンテンツデータを不正に復号化してパソコンなどで使用されるおそれがある。そのため、上記暗号鍵等の解読によるコンテンツデータの不正使用を防止すべく、複数の情報通信端末について一斉に上記解読された暗号鍵等の使用を禁止したり別の暗号鍵等に入れ替えたりする必要性が出てきた。
ここで、上記暗号鍵等の使用禁止や入れ替えを一斉に行うために、ＳＭＳ（Ｓｈｏｒｔ　Ｍｅｓｓａｇｉｎｇ　Ｓｅｒｖｉｃｅ）等の通信サービスを用いる方法が考えられる。しかしながら、この方法では、複数の情報通信端末の全てに対して通信回線を確立して暗号鍵等の使用禁止情報や切り換え情報を個別的に送信するため、通信ネットワークの負荷が大きくなってしまうという問題がある。
【０００５】
また、近年においては、上記データの暗号化機能以外に、カメラ等の撮像機能、アプリケーションプログラムの実行機能、録音機能等の付加価値的機能を有する携帯電話機等の情報通信端末も使用されるようになってきている。そして、このような付加価値的機能を有する全ての情報通信端末に対しても、その付加価値的機能を一斉に制御したい場合があった。
【０００６】
本発明は以上の背景のもとでなされたものであり、その目的は次のとおりである。即ち、本発明の目的は、通信ネットワークの負荷を増大させることなく、複数の情報通信端末の付加価値的機能を制御できる情報通信端末の機能制御方法及びそのシステム並びに情報通信端末を提供することである。
【０００７】
【課題を解決するための手段】
上記目的を達成するために、請求項１の発明は、複数の地域ごとに繰り返し送信されている情報送信信号を所定のタイミングで受信して該情報送信信号に含まれる提供対象の情報を取得する情報取得機能とその他の付加価値的機能とを有する情報通信端末における該付加価値的機能を制御する情報通信端末の機能制御方法であって、複数の情報通信端末に対して、該情報通信端末の付加価値的機能を制御するための機能制御情報を該提供対象の情報として含む情報送信信号を繰り返し送信し、各情報通信端末において、該機能制御情報を含む情報送信信号を受信し、該情報送信信号に含まれる該機能制御情報を取得し、該機能制御情報に基づいて該情報通信端末の付加価値的機能を制御することを特徴とするものである。
また、請求項２の発明は、請求項１の情報通信端末の機能制御方法において、上記情報通信端末が、端末呼出信号を受信する端末呼出信号受信機能を有するものであり、上記機能制御情報を含む情報送信信号が送信されている旨を示す情報送信識別データを該端末呼出信号に付加し、該端末呼出信号を複数の情報通信端末に対して一斉に送信し、各情報通信端末において該端末呼出信号を受信したときに、該端末呼出信号に付加された該情報送信識別データに基づいて、該機能制御情報を含む情報送信信号を受信することを特徴とするものである。
また、請求項３の発明は、請求項１又は２の情報通信端末の機能制御方法において、上記付加価値的機能が、暗号鍵を用いた暗号化アルゴリズムによりデータを暗号化する機能であり、上記付加価値的機能の制御が、該暗号鍵及び該暗号化アルゴリズムの少なくとも一方を入れ替える制御であることを特徴とするものである。
また、請求項４の発明は、請求項３の情報通信端末の機能制御方法において、該情報通信端末に、上記暗号鍵及び上記暗号化アルゴリズムの少なくとも一方を予め複数組み込んでおくことを特徴とするものである。
【０００８】
また、請求項５の発明は、複数の地域ごとに提供対象の情報を含む情報送信信号を繰り返し送信する情報提供手段を備え、該情報送信信号を所定のタイミングで受信して該情報送信信号に含まれる提供対象の情報を取得する情報取得機能とその他の付加価値的機能とを有する情報通信端末における該付加価値的機能を制御する情報通信端末の機能制御システムであって、該情報通信端末の付加価値的機能を制御するための機能制御情報を該提供対象の情報として含む情報送信信号を繰り返し送信するように、該情報提供手段を構成したことを特徴とするものである。
また、請求項６の発明は、請求項５の情報通信端末の機能制御システムにおいて、複数の情報通信端末に端末呼出信号を送信する端末呼出制御手段を備え、上記機能制御情報を含む上記情報送信信号が送信されている旨を示す情報送信識別データを該端末呼出信号に付加し、該端末呼出信号を複数の情報通信端末に対して一斉に送信するように、該端末呼出制御手段を構成したことを特徴とするものである。
また、請求項７の発明は、請求項５又は６の情報通信端末の機能制御システムにおいて、上記付加価値的機能が、暗号鍵を用いた暗号化アルゴリズムによりデータを暗号化する機能であり、上記付加価値的機能の制御が、該暗号鍵及び該暗号化アルゴリズムの少なくとも一方を入れ替える制御であることを特徴をする情報通信端末の機能制御システム。
【０００９】
また、請求項８の発明は、複数の地域ごとに繰り返し送信されている提供対象の情報を含む情報送信信号を所定のタイミングで受信して該提供対象の情報を取得する情報取得機能とその他の付加価値的機能とを有する情報通信端末であって、繰り返し送信されている上記付加価値的機能を制御するための機能制御情報を含む情報送信信号を受信し、該情報送信信号に含まれる該機能制御情報を取得し、該機能制御情報に基づいて該付加価値的機能を制御する制御手段を備えたことを特徴をするものである。
また、請求項９の発明は、請求項８の情報通信端末において、端末呼出信号を受信する端末呼出信号受信機能を有し、上記機能制御情報を含む情報送信信号が送信されている旨を示す情報送信識別データが付加された端末呼出信号を受信したときに、該端末呼出信号に付加された該情報送信識別データに基づいて、該機能制御情報を含む情報送信信号を受信するように、上記制御手段を構成したことを特徴とするものである。
また、請求項１０の発明は、請求項８又は９の情報通信端末において、上記付加価値的機能が、暗号鍵を用いた暗号化アルゴリズムによりデータを暗号化する機能であり、上記付加価値的機能の制御が、該暗号鍵及び該暗号化アルゴリズムの少なくとも一方を入れ替える制御であることを特徴とするものである。
また、請求項１１の発明は、請求項１０の情報通信端末において、上記暗号鍵及び上記暗号化アルゴリズムの少なくとも一方が予め複数組み込まれていることを特徴とするものである。
【００１０】
請求項１の情報通信端末の機能制御方法では、情報通信端末の付加価値的機能を制御するための機能制御情報を含む情報送信信号が、複数の地域ごとに繰り返し送信される。各情報通信端末では、所定のタイミングで上記情報送信信号が受信され、その情報送信信号に含まれる機能制御情報が取得される。この取得された機能制御情報に基づいて、各情報通信端末の付加価値的機能が制御される。このように通信回線を確立することなく各情報通信端末に機能制御情報を送信して情報通信端末の付加価値的機能を制御できるため、通信ネットワークの負荷を増大させることない。
特に、請求項２の情報通信端末の機能制御方法では、上記機能制御情報を含む情報送信信号が送信されている旨を示す情報送信識別データが、端末呼出信号に付加され、この端末呼出信号が複数の情報通信端末に対して一斉に送信される。各情報通信端末では、上記一斉に送信されてきた端末呼出信号に付加されている情報送信識別データに基づいて上記情報送信信号が受信され、この情報送信信号に含まれる機能制御情報に基づいて各情報通信端末の付加価値的機能が一斉に制御される。このように情報送信識別データを含む端末呼出信号を複数の情報通信端末に一斉に送信して各情報通信端末の付加価値的機能を同じタイミングで一斉に制御できる。
【００１１】
請求項３の情報通信端末の機能制御方法では、通信ネットワークの負荷を増大させることなく、複数の情報通信端末で用いる暗号鍵及び暗号化アルゴリズムの少なくとも一方を一斉に切り替えることができる。
請求項４の情報通信端末の機能制御方法では、上記機能制御情報に基づいて、情報通信端末に組み込まれた複数の暗号鍵又は暗号化アルゴリズムの中から選択する選択対象を変更する。この選択対象の変更により、情報通信端末で用いる暗号鍵及び暗号化アルゴリズムの少なくとも一方を切り替えることができる。従って、情報通信端末に新たな暗号鍵及び暗号化アルゴリズムのデータを送信することなく、情報通信端末で用いる暗号鍵及び暗号化アルゴリズムの少なくとも一方を一斉に切り替えることができる。
【００１２】
請求項５の情報通信端末の機能制御システムの情報提供手段は、上記機能制御方法における上記情報送信信号を送信する手段として用いることができる。即ち、この情報提供手段は、情報通信端末の付加価値的機能を制御するための機能制御情報を提供対象の情報として含む情報送信信号を、複数の地域ごとに提供対象の情報を含む情報送信信号を繰り返し送信する。
請求項６の情報通信端末の機能制御システムの端末呼出制御手段は、上記機能制御方法における上記端末呼出信号を送信する手段として用いることができる。即ち、この端末呼出制御手段は、上記機能制御情報を含む上記情報送信信号が送信されている旨を示す情報送信識別データを端末呼出信号に付加し、この端末呼出信号を複数の情報通信端末に対して一斉に送信する。
請求項７の情報通信端末の機能制御システムは、通信ネットワークの負荷を増大させることなく、複数の情報通信端末で用いる暗号鍵及び暗号化アルゴリズムの少なくとも一方を一斉に切り替えることができる。
【００１３】
請求項８の情報通信端末は、上記機能制御システムから受信した情報送信信号に含まれる機能制御信号に基づいて付加価値的機能が制御される。
また、請求項９の情報通信端末は、上記機能制御システムから上記情報送信識別データが付加された端末呼出信号を受信したタイミングで付加価値的機能が制御される。
また、請求項１０の情報通信端末は、上記機能制御システムから受信した機能制御信号に基づいて、データ暗号化処理に用いる暗号鍵及び暗号化アルゴリズムの少なくとも一方が切り替えられる。
また、請求項１１の情報通信端末は、上記機能制御情報に基づいて、情報通信端末に組み込まれた複数の暗号鍵又は暗号化アルゴリズムの中から選択する選択対象を変更する。この選択対象の変更により、データ暗号化処理に用いる暗号鍵及び暗号化アルゴリズムの少なくとも一方を切り替えることができる。従って、新たな暗号鍵及び暗号化アルゴリズムのデータを受信することなく、暗号鍵及び暗号化アルゴリズムの少なくとも一方を切り替えることができる。
【００１４】
なお、上記「情報通信端末」には、データ暗号化機能等の付加価値的機能を有するＰＤＣ（Ｐｅｒｓｏｎａｌ　Ｄｉｇｉｔａｌ　Ｃｅｌｌｕｌａｒ）方式、ＧＳＭ（Ｇｌｏｂａｌ　Ｓｙｓｔｅｍ　ｆｏｒ　Ｍｏｂｉｌｅ　Ｃｏｍｍｕｎｉｃａｔｉｏｎ）方式、ＴＩＡ（Ｔｅｌｅｃｏｍｍｕｎｉｃａｔｉｏｎｓ　Ｉｎｄｕｓｔｒｙ　Ａｓｓｏｃｉａｔｉｏｎ）方式等の携帯電話機、ＩＭＴ（Ｉｎｔｅｒｎａｔｉｏｎａｌ　Ｍｏｂｉｌｅ　Ｔｅｌｅｃｏｍｍｕｎｉｃａｔｉｏｎｓ）−２０００で標準化された携帯電話機、ＰＨＳ（Ｐｅｒｓｏｎａｌ　Ｈａｎｄｙｐｈｏｎｅ　Ｓｅｒｖｉｃｅ）、自動車電話等の電話機のほか、携帯電話モジュールを付加した情報通信端末も含まれる。また、この「情報通信端末」は、上記付加価値的機能を有していれば、上記携帯電話機などの移動型の情報通信端末でいいし、固定電話機などの固定型の情報通信端末であってもよい。
また、上記「付加価値的機能」には、データ暗号化機能のほか、画像、音楽、アプリケーションプログラム等のコンテンツデータを利用するための機能、撮像機能、録音機能等も含まれる。また、上記コンテンツデータの利用には、静止画や動画等の画像のコンテンツデータを情報通信端末の表示部に表示したり、音楽等の音情報のコンテンツを情報通信端末から出力したりすることが含まれる。更に、ゲーム、待受画面等のプログラムのコンテンツデータを起動したりすることも含まれる。また、これらのコンテンツデータを、情報通信端末の本体から該本体に装着された記録媒体に出力することも含まれる。ここで、上記「記録媒体」としては、ＳＤメモリーカード、ＣＦ（コンパクトフラッシュ：登録商標）メモリーカード、スマートメディア、メモリースティック、ＭＭＣ（マルチメディアカード）が挙げられる。
また、上記情報通信端末における制御は、情報通信端末内に設けられたコンピュータで所定のプログラムを実行することによって実現することもできる。このコンピュータで用いるプログラムの受け渡しは、デジタル情報としてプログラムを記録したＲＯＭ，ＦＤ，ＣＤ−ＲＯＭ等の記録媒体を用いて行なってもいいし、コンピュータネットワーク等の通信ネットワークを用いて行なってもよい。
【００１５】
【発明の実施の形態】
本実施形態に係る機能制御方法は、データ暗号化処理の機能を有する複数の情報通信端末について、そのデータ暗号化処理で用いる暗号鍵を一斉に切り換える方法である。上記データ暗号化処理は、インターネット上の情報提供サイト等から有料でダウンロードしたコンテンツデータをメモリーカードに移動するときに実行される。このコンテンツデータとしては、待ち受け画面等の画像データ、着信メロディ等の音楽データ、ゲームソフトなどのアプリケーションプログラムデータなどが挙げられる。
上記暗号鍵の一斉切り換えは、例えば各携帯電話機で共通に用いられていた暗号鍵が解読されたことがわかったタイミングで実行される。この暗号鍵の一斉切り換えにより、暗号化されてメモリーカードに保存されているコンテンツデータの不正使用を防止することができる。また、上記暗号鍵の一斉切り換えは予め設定した所定タイミングで定期的に実行してもよい。この場合は、上記暗号化されてメモリーカードに保存されているコンテンツデータの不正使用を未然に防止することができる。
【００１６】
図１は、本実施形態の機能制御方法を実現するための機能制御システムの説明図である。この機能制御システムは、端末呼出制御手段としての端末呼出制御システム４０と情報提供手段としての情報提供システム５０とを用いて構成されている。
上記端末呼出制御システム４０は通信ネットワークとしての携帯電話通信網（無線通信網を含む）７０に設けられ、端末呼出用物理チャネルで複数の携帯電話機６０に端末呼出信号を送信するものである。この端末呼出信号は、通常のメッセージ送信の場合に比してデータ量が少ないため、多数の携帯電話機に対して一斉に送信した場合でも携帯電話通信網７０の負荷の増大を抑えることができる。この端末呼出制御システム４０は、例えば、端末呼出信号を生成する信号生成部、端末呼出信号を送信するタイミングを管理する送信スケジュール管理部、送信部等で構成される。送信部は、基地局や交換機等からなる携帯電話通信網７０を介して呼出対象のすべての携帯電話機に対して端末呼出信号を一斉に送信するものである。
上記情報提供システム５０は携帯電話通信網７０に設けられ、情報提供用物理チャネルで、複数の地域Ａ、Ｂ、Ｃ、・・・ごとに提供対象の情報を含む情報送信信号を繰り返し送信するものである。この情報送信信号が送信される情報提供用物理チャネルは各携帯電話機６０との通信回線の確立を必要としないため、携帯電話通信網情報提供用物理チャネル７０の負荷の増大を抑えることができる。この情報提供システム５０は、例えば、送信対象の情報を管理するデータベース、送信地域を管理するデータベース、情報を送信するタイミングを管理する送信スケジュール管理部、受信部、送信部等で構成される。上記受信部は、提供対象の情報をコンテンツプロバイダ等から受信するものである。また、上記送信部は、基地局や交換機等からなる携帯電話通信網７０を介して提供対象の情報を送信するものである。
上記携帯電話通信網７０は、端末呼出制御システム４０や情報提供システム５０のほか、基地局、交換機等も備えている。
【００１７】
図２は、本実施形態の機能制御システムにおける各種信号の送受信のシーケンス図である。
まず、すべての携帯電話機６０に対する緊急情報として、暗号鍵を切り替えるための機能制御情報を含む情報送信信号を、情報提供システム５０から「情報提供用物理チャネル」で繰り返し送信する。
次に、呼出制御システム４０において、上記緊急情報を含む情報送信信号が送信されている旨を示す緊急情報の有無識別データを端末呼出信号に付加する。そして、この端末呼出信号を「端末呼出用物理チャネル」で全ての携帯電話機６０に対して一斉に送信する一斉呼び出しを実行する。
【００１８】
上記「情報提供用物理チャネル」はフルレート構造とハーフレート構造の両方に対応している。フルレート構造の場合には、「情報提供用物理チャネル」は６スロットから構成される１フレーム中の第１スロット（ＴＳ１）と第４スロット（ＴＳ４）に配置される。そして、携帯電話機６０はこの「情報提供用物理チャネル」のスロットの配置されたタイミングで間欠受信を行うとともに、待ち受け時に「端末呼出用物理チャネル」のスロットを受信し、このスロットに続く時間でゾーン移行のための周辺ゾーンの受信レベル測定を行う。一方、ハーフレート構成の場合には、「情報提供用物理チャネル」は６スロットから構成される１フレーム中の第１スロット（ＴＳ１）に配置され、携帯電話機６０はこの「情報提供用物理チャネル」のスロットの配置されたタイミングで間欠受信を行うとともに、待ち受け時に「端末呼出用物理チャネル」のスロットを受信し、このスロットに続く時間でゾーン移行のための周辺ゾーンの測定を行う。
上記「情報提供用物理チャネル」の論理チャネルには、文字情報等を含む「情報チャネル」と、この情報チャネルのチャネル構成情報等を含む「制御チャネル」とが定義される。１つの情報提供用物理チャネルは、フルレート構成の場合には、スーパーフレームの先頭２フレームに「制御チャネル」、それに続く３２フレームに８フレーム構成からなる「情報チャネル」、最終２フレームにダミースロットが配置される。ハーフレート構成の場合には、スーパーフレームの先頭２フレームに「制御チャネル」、それに続く１６フレームに８フレーム構成からなる「情報チャネル」が配置される。すなわち、「情報チャネル」は、フルレート構成の場合には４回繰り返して再送され、ハーフレート構成の場合には２回繰り返して再送される。この「情報チャネル」の再送により、携帯電話機６０におけるフレーム組立で受信時の誤り訂正により信頼性を向上させている。そして、全ての「情報提供用物理チャネル」は、例えば、第０〜第６３までの合計６４チャネルが、７０スーパーフレーム等で構成されるＣＢＳハイパーフレームに配置される。このＣＢＳハイパーフレームにおいて、緊急情報チャネルである第０及び第１チャネルは、例えば、均等の間隔で４回繰り返して配置されている。
【００１９】
一方、上記「端末呼出用物理チャネル」は「報知チャネル」とも呼ばれる。この「端末呼出用物理チャネル」の情報要素、ネットワーク番号、規制情報、…、位置登録タイマに続く領域には事業者固有定義領域が設定されている。そして、この事業者固有定義領域には、上記「情報提供用物理チャネル」を受信するために拡張情報要素長の領域と拡張情報の領域とが設けられている。上記拡張情報要素長の領域には情報提供用物理チャネル指示要素の長さが設定され、上記拡張情報の領域には、情報提供用物理チャネル指示要素が設定される。すなわち、「端末呼出用物理チャネル」の情報要素、ネットワーク番号、規制情報、…、位置登録タイマに続く、上記拡張情報要素長の領域に拡張情報の長さである１（オクテット）が設定される。そして、上記拡張情報の領域には情報提供用物理チャネル指示要素として各種識別ビットが設定される。
例えば、１オクテット中の第５及び第４ビット（Ｉ１及びＩ２）に「情報提供用物理チャネル」の識別ビットが設定される。また、上記１オクテット中の第３ビット（Ｐ１）に「情報提供用物理チャネル」がハーフレート構成かフルレート構成かを識別するビットが設定される。更に、上記１オクテット中の第２ビット（Ｐ２）に緊急情報の有無を識別する有無識別データに対応するビットが設定される。そして、上記「Ｉ１Ｉ２」が「００」の場合は「情報提供用物理チャネル」無し、「１１」の場合は「情報提供用物理チャネル」有りを示すように設定される。また、上記「Ｐ１」が「０」の場合はハーフレート、「１」の場合はフルレートを示すように設定される。また、上記「Ｐ２」が「０」の場合は緊急情報なし、「１」の場合は緊急情報有りを示すように設定される。
携帯電話機６０は、上記「端末呼出用物理チャネル」の拡張情報の領域（１オクテット）の第２ビット（Ｐ２）が「１」であるときには、緊急情報があると判断し、「情報提供用物理チャネル」で送信されている情報送信信号の受信を開始する。
【００２０】
図３は、上記機能制御システムからの信号を受けてデータ暗号化処理に用いる暗号鍵又は暗号化アルゴリズムを切り替えることができる携帯電話機６０のブロック図である。この携帯電話機６０の本体部分１００は、制御部１１１、内部メモリ１１２、無線通信部１１３及びアンテナ１１４を備えている。また、制御部１１１には、音声処理部１１５を介してマイク１１６及びスピーカ１１７が接続され、画像処理部１１８を介して表示部１１９が接続され、更にキー操作部１２０が接続されている。
また、上記携帯電話機は、外部記憶装置としてのメモリーカード１２１と、利用者情報保存用の記録媒体としてのＵＳＩＭ（Ｕｓｅｒ　Ｓｕｂｓｃｒｉｂｅｒ　Ｉｄｅｎｔｉｔｙ　Ｍｏｄｕｌｅ）１２２とが着脱可能に構成されている。
【００２１】
上記制御部１１１は例えばＣＰＵ、キャッシュメモリ、システムバス等で構成され、所定の制御プログラムを実行することにより内部メモリ１１２や無線通信部１１３等の各部との間でデータの送受信を行ったり各部を制御したりする。また、この制御部１１１は、内部メモリ１１２に記憶されている複数の暗号鍵から選択された一つの暗号鍵及び所定の暗号化アルゴリズムを用いてコンテンツデータ等を暗号化するデータ暗号化処理にも用いられる。更に、この制御部１１１は、後述の端末呼出信号の受信、情報送信信号の受信、機能制御情報の取得、暗号鍵の切り替え等の制御を行う制御手段としても用いられる。
【００２２】
上記内部メモリ１１２は例えばＲＡＭやＲＯＭなどの半導体メモリで構成され、制御部１１１で実行する制御プログラムや各種データを記憶するものである。また、この内部メモリ１１２は、情報提供サイトなどからダウンロードした画像、音楽、プログラム等のコンテンツデータを記憶するコンテンツデータ記憶手段としても用いられる。更に、この内部メモリ１１２は、上記データ暗号化に用いる複数の暗号鍵を記憶しておく暗号化処理用データの記憶手段としても用いられる。
【００２３】
上記無線通信部１１４は制御部１１１で制御され、アンテナ１１４を介して、所定の通信方式により携帯電話通信網の基地局との間で無線通信を行うものである。この無線通信により、特定の携帯電話機等との間で音声電話通信を行ったり、電子メールの送受信や情報提供サイトからのコンテンツダウンロード等のデータ通信を行ったりすることができる。
上記音声処理部１１５は、マイクロフォン１１６から入力された送話音声信号を所定方式で符号化して制御部１１１に送る。また、この音声処理部１１５は、無線通信部１１３で受信した受話音声信号を復号化してスピーカ１１７から出力する。更に、この音声処理部１１５は、内部メモリ１１２に記憶されている着信メロディやアプリケーションプログラムで用いる効果音等の音信号をスピーカ１１７から出力する。
上記画像処理部１１８は、無線通信部１１３で受信した画像データや、内部メモリ１１２に記憶されているアイコンやメニュー等の画像データを処理し、液晶ディスプレイ（ＬＣＤ）等からなる表示部に表示させる。
上記キー操作部１２０は、データ入力キー（テンキー、＊キー、＃キー）、通話開始キー、終話キー、スクロールキー、多機能キー等を備え、電話の発信や着信のほか、表示部１１９に表示される情報のスクロールや選択等に用いる。
【００２４】
上記メモリーカード１２１は、携帯電話機の図示しないメモリーカードスロットに対して着脱可能になっている。このメモリーカード１２１としては例えばＳＤメモリーカードを使用することができる。また、このＳＤメモリーカード以外にも、ＣＦ（コンパクトフラッシュ：登録商標）メモリーカード、スマートメディア、メモリースティック、ＭＭＣ（マルチメディアカード）等を使用することができる。
【００２５】
上記ＵＳＩＭ１２２は例えばＩＣカードで構成され、携帯電話機の図示しないＵＳＩＭスロットに対して着脱可能になっている。このＵＳＩＭ１２２は例えば携帯電話通信事業者から発行され、携帯電話機を利用する利用者（携帯電話機の契約者）の情報等が記録される。このＵＳＩＭ１２２を携帯電話機に装着することにより、その携帯電話機を所定の契約内容で使用することができる。また、このＵＳＩＭ１２２を同様な機能を有する複数の携帯電話機に対して差し替えて使用することにより、それらの複数の携帯電話機を同じ契約者扱いで利用することができる。
【００２６】
図４は、上記構成の携帯電話機６０における機能制御処理の手順を示すフローチャートである。
上記端末呼出制御システム４０から送信された端末呼出信号は、全ての携帯電話機６０で受信される（ステップ１）。携帯電話機６０が上記端末呼出信号を受信すると、その端末呼出信号に付加されている緊急情報の有無識別データの内容を判定する（ステップ２）。ここで、緊急情報の有無識別データが、情報提供システム５０から緊急情報を含む情報送信信号が送信されている旨を示している場合は、情報提供用物理チャネルで送信されている情報送信信号を受信する（ステップ３）。そして、受信した情報送信信号から、緊急情報としての機能制御情報を取得する（ステップ４）。この情報送信信号から取得した機能制御情報に基づいて携帯電話機６０で用いる暗号鍵を切り替える（ステップ５）。
【００２７】
以上、本実施形態によれば、携帯電話通信網７０の負荷を増大させることなく、複数の携帯電話機６０で用いる暗号鍵を同じタイミングで一斉に切り替えることができる。従って、暗号化してメモリーカードに移動したコンテンツデータの不正使用を防止することができる。
また、本実施形態によれば、各携帯電話機６０の内部メモリ１１２に複数の暗号鍵を記憶して組み込んでいるため、暗号鍵の切り替えにあたって新たな暗号鍵を受信する必要がなく、通信ネットワークの負荷の増大を更に抑制できる。
【００２８】
なお、上記実施形態では端末呼出信号によって上記機能制御情報を含む情報送信信号の受信／非受信を切り替えるようにしているが、上記端末呼出信号によらずに情報送信信号の受信／非受信を切り替えてもよい。例えば、携帯電話機に６０に予め設定されている受信タイミングで上記機能制御情報を含む情報送信信号を受信するようにしてもよい。
【００２９】
また、上記実施形態では暗号鍵を切り替えているが、暗号鍵に代えて又は暗号鍵に加えて、暗号化アルゴリズムを切り替えるようにしてもよい。また、本発明は、携帯電話機のカメラ等の撮像機能、アプリケーションプログラムの実行機能、録音機能等の他の付加価値的機能を制御する場合にも適用でき、同様な効果が得られるものである。
【００３０】
また、上記実施形態では、情報通信端末が携帯電話機の場合について説明したが、本発明は、ＰＨＳ、自動車電話、携帯型のパソコン、固定電話機などの他の情報通信端末の場合についても適用でき、同様な効果が得られるものである。
【００３１】
【発明の効果】
請求項１乃至１１の発明によれば、通信ネットワークの負荷を増大させることなく、複数の情報通信端末の付加価値的機能を制御できるという優れた効果がある。
特に、請求項２、６及び９の発明によれば、複数の情報通信端末の付加価値的機能を同じタイミングで一斉に制御できるという優れた効果がある。
特に、請求項３、７及び１０の発明によれば、通信ネットワークの負荷を増大させることなく、複数の情報通信端末で用いる暗号鍵又は暗号化アルゴリズムを一斉に切り替えることができるという優れた効果がある。
また特に、請求項４及び１１の発明によれば、新たな暗号鍵又は暗号化アルゴリズムのデータを受信する必要がないので、通信ネットワークの負荷の増大を更に抑制できるという優れた効果がある。
【図面の簡単な説明】
【図１】本発明の実施形態に係る機能制御方法を実施するための機能制御システムの説明図。
【図２】同機能制御方法における各種信号の送受信のシーケンス図。
【図３】同機能制御方法で暗号鍵の切り替えを行う携帯電話機の概略構成図。
【図４】同携帯電話機における機能制御処理の手順を示すフローチャート。
【符号の説明】
４０　　端末呼出制御システム
５０　　情報提供システム
６０　　携帯電話機
７０　　携帯電話通信網
１１１　制御部
１１２　内部メモリ
１２１　メモリーカード
【図１】
2004147192.tif 000003
【図２】
2004147192.tif 000004
【図３】
2004147192.tif 000005
【図４】
2004147192.tif 000006